【事件の表示】
　平成１０年特許願第　９１８６６号「画像形成装置」拒絶査定不服審判事件〔平成１１年１０月１９日出願公開、特開平１１−２８８２４８〕について、次のとおり審決する。
【結　論】
　本件審判の請求は、成り立たない。
【理　由】
１．手続の経緯 
　本件は、平成１０年４月３日にされた特許出願（平成１０年特許願第９１８６６号。以下「本件出願」という。）につき、拒絶査定が平成１５年２月２０日付けでされ、同年２月２４日に発送されたところ、拒絶査定に対する審判が同年３月２６日に請求されるとともに同年４月２５日に手続補正書が提出されたものである。
　　　　　　　　 
２．平成１５年４月２５日付けの手続補正についての補正却下の決定 
　（１）補正却下の決定の結論 
　平成１５年４月２５日付けの手続補正を却下する。 
　（２）補正却下の決定の理由 
　ア　補正後の発明 
　上記手続補正は、本件出願の明細書の特許請求の範囲を次のとおり補正することを含むものである。
 　　　　　　　
【請求項１】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、
　前記検出部からの検出結果としての出力信号を１表示画面相当の積分時間で積分する積分回路と、
　前記積分回路による積分結果が所定値以上の場合には、前記電子放出素子に印加される駆動電圧を低下させ、又は前記電子放出素子に供給される駆動電流を抑えて、前記表示パネルに形成される画像の発光輝度と前記表示パネルにおける消費電力を低減するように、前記行配線駆動手段及び前記列配線駆動手段により前記電子放出素子に印加される駆動電圧又は前記電子放出素子に供給される駆動電流を、前記積分結果に応じて制御する制御手段と、
を有することを特徴とする画像形成装置。
【請求項２】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、
　前記行方向配線の少なくとも１つを選択して駆動する行配線駆動手段と、
　画像信号に応じて前記列方向配線を駆動する列配線駆動手段とを具備し、
　前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、
　前記検出部からの検出結果としての出力信号を１表示画面相当の積分時間で積分する積分回路と、
　前記積分回路による積分結果が所定値以上の場合には前記加速電圧を低くして、前記表示パネルに形成される画像の発光輝度と前記表示パネルにおける消費電力を低減するように前記加速電圧を前記積分結果に応じて制御する制御手段と、
を有することを特徴とする画像形成装置。
【請求項３】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、
　前記検出部からの検出結果としての出力信号を１表示画面相当の積分時間で積分する積分回路と、
　前記画像信号をアナログＲＧＢ信号で入力し、前記アナログＲＧＢ信号に対して処理を行うアナログ信号処理手段と、
　前記積分回路による積分結果が所定値以上の場合には前記アナログＲＧＢ信号のレベル又はコントラストを低下させて、前記表示パネルに形成される画像の発光輝度と前記表示パネルにおける消費電力を低減するように、前記アナログ信号処理手段における処理方法を前記積分結果に応じて制御する制御手段と、
を有することを特徴とする画像形成装置。
【請求項４】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、
　前記検出部からの検出結果としての出力信号を１表示画面相当の積分時間で積分する積分回路と、
　前記画像信号をデジタル信号で入力し、前記デジタル信号に対してデジタル処理を行って画像のコントラストを調整する信号処理手段とを有し、
　前記積分回路により積分結果が所定値以上の場合には前記コントラストを低下させて、前記表示パネルに形成される画像の発光輝度と前記表示パネルにおける消費電力を前記積分結果に応じて低減することを特徴とする画像形成装置。
【請求項５】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じたパルス幅で前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、
　前記検出部からの検出結果としての出力信号を１表示画面相当の積分時間で積分する積分回路と、
　前記積分回路による積分結果が所定値以上の場合には前記パルス幅を抑制して、前記表示パネルに形成される画像の発光輝度と前記表示パネルにおける消費電力を低減するように、前記列配線駆動手段により前記電子放出素子に印加される電圧のパルス幅を前記積分結果に応じて制御する制御手段と、
を具備することを特徴とする画像形成装置。
【請求項６】　前記積分回路は、前記積分結果を画像の１フレーム毎にリセットすることを特徴とする請求項１乃至５のいずれか１項に記載の画像形成装置。
【請求項７】　前記積分回路は、画像の複数フレームの長さの積分期間に相当する時定数を有することを特徴とする請求項１乃至５のいずれか１項に記載の画像形成装置。
【請求項８】　複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　前記行方向配線と前記行配線駆動手段とを接続する引出し線に流れる電流に応じた電圧を、前記引出し線に最も近い前記電子放出素子の列方向配線において検出する電圧検出回路と、
　該電圧検出回路の出力電圧を１表示画面相当の積分時間で積分する電圧積分回路とを有し、
　前記電圧積分回路による積分結果が所定値以上の場合には前記表示パネルに形成される画像の発光輝度と前記表示パネルにおける消費電力を低減するように、前記表示パネルを前記電圧積分回路による積分結果に応じて駆動制御することを特徴とする画像形成装置。
　　　　　
　上記補正は、本件出願の請求項１〜５に係る発明について「前記行配線駆動手段と前記列配線駆動手段により駆動されて所定期間に前記電子放出素子を流れる電流を積分する積分回路」を「前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部と、前記検出部からの検出結果としての出力信号を１表示画面相当の積分時間で積分する積分回路」と限定するとともに請求項１に係る発明について「駆動電圧」を「駆動電圧を低下させ」と限定するものであって、特許法第１７条の２第４項第２号の特許請求の範囲の限定的減縮を目的とするものに該当する。 
 　 
　イ　独立特許要件について 
　上記手続補正後の請求項２に係る発明（以下、「本願補正発明」という。）が特許出願の際独立して特許を受けることができるものであるかについて以下に検討する。 
（ア）引用刊行物記載の発明 
　原査定の拒絶の理由に引用された特開平９−１９０１６０号公報（以下、「引用刊行物」という。）には、 
（Ａ−１）「【請求項１】マトリクス状に配列された複数の電子放出素子を備え、前記電子放出素子から放出される電子により発光する蛍光体を備えた画像表示装置であって、画像信号を入力し、当該画像信号より輝度信号を分離する分離手段と、前記分離手段により分離された輝度信号の平均輝度を求める検出手段と、前記検出手段により得られた平均輝度が所定値以上か否かを判断する判断手段と、前記判断手段の判断結果に応じて前記蛍光体の発光輝度を制御する制御手段と、を有することを特徴とする画像表示装置。」こと、 
（Ａ−２）「【０００１】【発明の属する技術分野】本発明は、電子ビーム源として例えば冷陰極の電子放出素子を用い、これら電子放出素子をマトリクス状に配列した画像表示装置と該装置における画像表示方法に関するものである。・・・【０００３】従来から、電子放出素子として熱陰極素子と冷陰極素子の２種類が知られている。このうち冷陰極素子では、例えば表面伝導型放出素子や、電界放出型素子（以下ＦＥ型と記す）や、金属／絶縁層／金属型放出素子（以下ＭＩＭ型と記す）、などが知られている。
」こと、 
（Ａ−３）「【００２３】冷陰極素子を単純マトリクス配線したマルチ電子ビーム源においては、所望の電子ビームを出力させるため、行方向配線４００２及び列方向配線４００３に適宜の電気信号を印加する。例えば、マトリクスの中の任意の１行の冷陰極素子を駆動するには、選択する行の行方向配線４００２には選択電圧Ｖsを印加し、同時に非選択の行の行方向配線４００２には非選択電圧Ｖnsを印加する。これと同期して列方向配線４００３に電子ビームを出力するための駆動電圧Ｖeを印加する。この方法によれば、配線抵抗４００４及び４００５による電圧降下を無視すれば、選択する行の冷陰極素子には、（Ｖe−Ｖs）の電圧が印加され、また非選択行の冷陰極素子には（Ｖe−Ｖns）の電圧が印加される。・・・【００２４】・・・ここで、電子ビーム源に流れる電流を以下素子電流Ｉfと呼び、放出される電子ビーム量を放出電流Ｉeと呼ぶ。」こと、
（Ａ−４）「【００２６】しかしながら、冷陰極素子を単純マトリクス配線したマルチ電子ビ−ム源には、実際には以下に述べるような問題が発生していた。即ち、放出された電子ビームは高圧アノード電圧（以下Ｖaと呼ぶ）により加速され蛍光体に衝突するわけだが、電子放出素子の数が増大するほど装置の消費電力が大きくなってしまう。いま、電子放出素子の数を（ｍ×ｎ）とすると、高圧部で発生する消費電力Ｗは　Ｗ＝（ｍ×ｎ）×Ｉe×Ｖaとなり、例えばＴＶ信号やコンピュータ信号を表示する画像装置に応用する場合には大きな問題となる。また電子ビームが衝突する蛍光板（蛍光体）の発熱が大きくなるという問題もある。【００２７】本発明は上記従来例に鑑みてなされたもので、電子による発光輝度を示す輝度評価値に基づいて発光輝度を制御することにより、消費電力の増大や蛍光体の発熱を抑えた画像表示装置及び該装置における画像表示方法を提供することを目的とする。【００２８】また本発明の目的は、発光画面全体の平均輝度がある値以上にならないように抑制することで、消費電力の増大や蛍光板の発熱を抑えた画像表示装置及び該装置における画像表示方法を提供することにある。【００２９】また本発明の他の目的は、画像信号に平均輝度値に基づいて表示画面の発光輝度を制御することにより、消費電力の増大や蛍光体の発熱を抑えた画像表示装置及び該装置における画像表示方法を提供することを目的とする。【００３０】また本発明の目的は、電子による発光輝度に対応する加速手段からの出力電流の平均値に基づいて発光輝度を制御することにより、消費電力の増大や蛍光体の発熱を抑えた画像表示装置及び該装置における画像表示方法を提供することを目的とする。」こと、 
（Ａ−５）「【００３７】図１において、１０００は画像表示パネルであり、ここでは、例えば水平方向（行方向）４８０、垂直方向（列方向）２４０の蛍光体が、Ｒ，Ｇ，Ｂの順に縦ストライプ状に配列されており、各蛍光体に対応する電子放出素子が行方向配線電極と列方向配線電極により単純マトリックス状に配線されているものとする。そして、この表示パネル１０００を線順次で駆動する場合で説明する。【００３８】入力ＴＶ信号ｓ１は、デコーダ２によりアナログＲ，Ｇ，Ｂ信号にデコードされ、ＲＧＢ信号のそれぞれはアナログプリプロセス部３に入力される。アナログプリプロセス部３は、・・・Ｒ，Ｇ，Ｂ信号を各色に対応したＡ／Ｄコンバータ４に出力している。またＰＬＬのための同期信号（ｓｙｎｃ）をタイミング制御部５に出力する他、Ｒ，Ｇ，Ｂ信号をマトリックス部で混合して得た輝度信号ｓ２０をビデオ検出部１３に出力している。【００３９】・・・Ａ／Ｄコンバータ４からのデジタル画像信号ｓ９を入力したデジタルプロセス部６は、・・・処理済みのデジタル画像信号をデータ並び変え部７へ出力する。・・・【００４０】データ並び変え部７は、・・・デジタル画像データを並び変えて、シフトレジスタ８に１ライン４８０個のシリアル画像データとして転送する。シフトレジスタ８は、シリアル画像データｓ１０をシフトクロックｓ６により読み込み、１ライン４８０個のシリアル画像データをパラレルデータに変換して、水平ブランキング期間に変調信号発生部９に送る。【００４１】・・・変調信号発生部９はパルス幅変調方式を採用しており、・・・各々のパルス幅変調器に読み込まれた画像データの大きさに比例した時間幅を持つパルス信号を１水平期間中にパルス幅変調信号ｓ７により発生し、水平駆動ドライバ１０に出力している。この水平駆動ドライバ１０では、Ｖf制御部１５からの信号ｓ１７により、表示パネル１０００の電子放出素子に印加するパルス信号の電圧振幅Ｖeが制御されて表示パネル１０００に出力されている。・・・【００４３】・・・タイミング制御部５からの行走査のためのタイミング信号ｓ８・・・を入力するシフトレジスタ１１は、走査のための行選択信号を垂直駆動ドライバ１２に出力している。この垂直駆動ドライバ１２は、・・・行の選択時に導通されて、Ｖf制御部１５から出力されるバイアス電圧Ｖsを表示パネル１０００に印加している。このように、１水平ライン毎の水平駆動ドライバ１０からの画像変調データ出力を、垂直駆動ドライバ１２により順次走査選択していくことにより、表示パネル１０００に画像信号が表示される。【００４４】図４は、本実施の形態のシステム制御部１４の構成を示すブロック図である。図４に示すように、本実施の形態のシステム制御部１４は、ＣＰＵ２１，ＲＯＭ２２・・・Ｄ／Ａコンバータ２６・・・を有し、ＲＯＭ２２に格納された制御プログラムに従って装置の制御が行われる。・・・また、Ｄ／Ａコンバータ２６の出力信号ｓ１８は、電子ビーム加速のための高圧電圧Ｖa（ｓ１９）を出力する高圧発生部１７に出力され、高圧電圧Ｖa（ｓ１９）の出力を制御している。」こと、 
（Ａ−６）「【００４５】・・・１３はビデオ検出部で、アナログプリプロセス部３からの輝度信号ｓ２０を入力し、タイミング制御部５からの水平ブランキングが付加された１フィールド毎のゲート信号ｓ５（図２参照）により積分し、輝度信号ｓ２０の平均値をフィールド毎に検出した平均輝度信号ｓ１１をシステム制御部１４に出力している。この平均輝度信号ｓ１１は、システム制御部１４のＡ／Ｄコンバータ２５を介してＣＰＵ２１に取り込まれ、ＣＰＵ２１により、システム制御部１４内部に設けられた基準値と比較される。そして、この平均輝度信号ｓ１１がその基準値よりも大きい場合に、Ｄ／Ａコンバータ２６の出力信号ｓ１３によりコントラスト制御を行う。その結果、水平駆動ドライバ１０からの出力パルス幅を抑制することにより、表示パネル１０００の発光輝度を、ある基準値以下に制御することができる。【００４６】以上、Ｒ，Ｇ，Ｂ縦ストライプ配列の場合の、アナログプリプロセス部３からの輝度信号ｓ２０を用いた輝度評価値で発光輝度を制御する例を説明した。・・・【００４８】更に、輝度評価値を得るために、高圧発生部１７に平均高圧アノード電流を検出する手段、或は高圧発生部１７へ電力を供給するラインの供給平均電流を検出する手段を設け、高圧発生部１７からの検出信号ｓ２１をシステム制御部１４に送ってもよい。」こと、
（Ａ−７）「【００５０】図５は、本実施の形態のシステム制御部１４のＣＰＵ２１の処理を示すフローチャートで、・・・【００５１】まずステップＳ１０１で、ビデオ検出部１３から平均輝度信号ｓ１１を入力し、その平均輝度信号の値と、ＲＯＭ２２に記憶されている基準値２２ａとを比較する（ステップＳ１０２）。ステップＳ１０３で、その平均輝度が基準値よりも大きいときはステップＳ１０４に進み、Ｄ／Ａコンバータ２６に信号を出力して、Ｄ／Ａコンバータ２６の出力信号ｓ１３によりアナログプリプロセス部３におけるコントラスト制御を行う。その結果、水平駆動ドライバ１０からの出力パルス幅を抑制することにより、表示パネル１０００の発光輝度を、ある基準値以下に制御することができる。・・・またはＤ／Ａコンバータ２６からの信号ｓ１８により、高圧発生部１７より発生される電圧値を下げてもよい。【００５２】また、輝度評価値を得るために、高圧発生部１７に平均高圧アノード電流を検出する手段を設け、或は高圧発生部１７へ電力を供給するラインの供給平均電流を検出する手段を設け、高圧発生部１７から、その検出した検出信号ｓ２１をシステム制御部１４に送って制御する場合は、前述のステップＳ１０１で、その検出信号ｓ２１を入力し、その入力した値に従ってステップＳ１０２以降の処理を実行するようにしても良い。その場合は、信号ｓ２１で示される値が図５の平均輝度信号ｓ１１と同様に処理される。」こと、 
（Ａ−８）「【００５４】図６は、本実施の形態に用いた表示パネル１０００の斜視図であり、・・・【００５５】図中、１００５はリアプレート、１００６は側壁、１００７はフェースプレートである。・・・【００５６】リアプレート１００５には基板１００１が固定されており、この基板１００１上には冷陰極素子１００２がＮ×Ｍ個形成されている。・・・Ｎ×Ｍ個の冷陰極素子は、Ｍ本の行方向配線１００３とＮ本の列方向配線１００４とにより単純マトリクス配線されている。これら基板１００１、複数の冷陰極素子１００２及び行方向配線１００３、列方向配線１００４によって構成される部分をマルチ電子ビーム源と呼ぶ。・・・【００５８】また、フェースプレート１００７の下面には、蛍光膜１００８が形成されている。・・・【００６０】・・・また、蛍光膜１００８のリアプレート側の面には、・・・メタルバック１００９を設けてある。このメタルバック１００９を設けた目的は、・・・電子ビーム加速電圧を印加するための電極として作用させるため・・・などである。このメタルバック１００９は、蛍光膜１００８をフェースプレート基板１００７上に形成した後、蛍光膜表面を平滑化処理し、その上にＡｌ（アルミニウム）を真空蒸着する方法により形成した。」こと、
（Ａ−９）「【００６５】・・・本実施の形態の画像表示装置に用いるマルチ電子ビーム源は、冷陰極素子を単純マトリクス配線した電子源であれば、冷陰極素子の材料や形状或は製法に制限はない。従って、例えば表面伝導型放出素子やＦＥ型、或はＭＩＭ型などの冷陰極素子を用いることができる【００６６】但し、・・・これらの冷陰極素子の中でも、表面伝導型放出素子が特に好ましい。・・・表面伝導型放出素子は、比較的製造方法が単純なため、大面積化や製造コストの低減が容易である。・・・そこで、上記実施の形態の表示パネルにおいては、電子放出部もしくはその周辺部を微粒子膜から形成した表面伝導型放出素子を用いた。」こと、
（Ａ−１０）「【００９９】図１４は、本実施の形態の電子源を表示装置に用いた素子の（放出電流Ｉe）対（素子印加電圧Ｖf）特性、及び（素子電流Ｉf）対（素子印加電圧Ｖf）特性の典型的な例を示す図である。尚、放出電流Ｉeは素子電流Ｉfに比べて著しく小さく、・・・２本のグラフは各々任意単位で図示した。【０１００】ここで、本実施の形態の表示装置に用いた電子放出素子は、放出電流Ｉeに関して以下に述べる３つの特性を有している。・・・【０１０２】第２に、放出電流Ｉeは素子に印加する電圧Ｖfに依存して変化するため、電圧Ｖfで放出電流Ｉeの大きさを制御できる。【０１０３】第３に、素子に印加する電圧Ｖfに対して素子から放出される電流Ｉeの応答速度が速いため、電圧Ｖfを印加する時間の長さによって素子から放出される電子の電荷量を制御できる。【０１０４】以上のような特性を有するため、表面伝導型放出素子を表示装置に好適に用いることができた。・・・【０１０５】また、第２の特性か又は第３の特性を利用することにより、発光輝度を制御することができるため、諧調表示を行うことが可能である。」ことが記載されている。
　上記（Ａ−１）〜（Ａ−１０）の記載を参照すると、上記引用刊行物には、 
 「Ｍ本の行方向配線１００３とＮ本の列方向配線１００４とにより単純マトリクス配線された複数の表面伝導型放出素子からなる冷陰極素子１００２を有する基板１００１と前記表面伝導型放出素子からなる冷陰極素子１００２から放出された電子を加速するための加速電圧が印加される電極として作用するメタルバック１００９と前記電子により電子により発光する蛍光膜１００８からなる蛍光体とを有するフェースプレート基板１００７とを備えた表示パネル１０００と、
　前記Ｍ本の行方向配線１００３をシフトレジスタ１１からの行選択信号により順次走査選択し、Ｖf制御部１５から出力されるバイアス電圧Ｖsを印加する垂直駆動ドライバ１２と、
　Ｖf制御部１５からの信号ｓ１７により画像データ応じたパルス信号の電圧振幅Ｖeが制御されてＮ本の列方向配線１００４に印加する水平駆動ドライバ１０とを具備し、
　前記垂直駆動ドライバ１２及び水平駆動ドライバ１０により駆動された前記表面伝導型放出素子からなる冷陰極素子１００２から放出された電子を前記蛍光膜１００８からなる蛍光体に衝突させて発光させることにより、前記表示パネル１０００に画像信号を表示する画像表示装置において、
　前記垂直駆動ドライバ１２及び水平駆動ドライバ１０により駆動された前記表面伝導型放出素子からなる冷陰極素子１００２が駆動されて、高圧発生部１７に平均高圧アノード電流を検出する手段を設け、検出した検出信号が基準値より大きい場合は高圧発生部１７より発生される電圧値を下げて、前記表示パネル１０００の発光画面全体の平均輝度がある値以上にならないように発光輝度を制御し、表示パネル１０００における消費電力の増大を抑えるように前記平均高圧アノード電流を検出する手段の検出信号に応じて制御することを特徴とする画像表示装置。」の発明（以下「引用発明」という。）が記載されている。
　　　　　　　　
　（イ）本願補正発明についての対比・判断 
　（イ−１）本願補正発明と引用発明とを対比する。 
 　引用発明の「Ｍ本の行方向配線１００３とＮ本の列方向配線１００４」、「複数の表面伝導型放出素子からなる冷陰極素子１００２」、「メタルバック１００９」、「シフトレジスタ１１からの行選択信号により順次走査選択し、バイアス電圧Ｖsを印加する垂直駆動ドライバ１２」、「画像データ」、「水平駆動ドライバ１０」、「画像表示装置」、「基準値」、「高圧発生部１７より発生される電圧値」がそれぞれ本願補正発明の「複数の行方向配線及び列方向配線」、「複数の表面伝導型の電子放出素子」、「加速電圧が印加される電極」、「行配線駆動手段」、「画像信号」、「列配線駆動手段」、「画像形成装置」、「所定値」、「加速電圧」に相当する。 
 　引用発明ではＶf制御部１５から出力されるバイアス電圧Ｖsを垂直駆動ドライバ１２からＭ本の行方向配線１００３に印加しているから、Ｖf制御部１５が垂直ドライバ１２、すなわち行配線駆動手段用の電源に相当し、さらに、Ｖf制御部１５からの信号ｓ１７により画像データに応じたパルス信号の電圧振幅Ｖeが制御されて電圧振幅ＶeをＮ本の列方向配線１００４に印加しているから、垂直ドライバ１２と同様に水平駆動ドライバ１０、すなわち列配線駆動手段においても供給されるパルス信号の電圧振幅ＶeをＮ本の列方向配線１００４に提供するための列配線駆動手段用の電源を有することは明らかである。
　また、上記引用刊行物の上記（Ａ−３）の段落番号【００２８】には「また本発明の目的は、発光画面全体の平均輝度がある値以上にならないように抑制することで、消費電力の増大や蛍光板の発熱を抑えた画像表示装置及び該装置における画像表示方法を提供することにある。」と記載されていることから、引用発明の高圧発生部１７に設けた平均高圧アノード電流を検出する手段は表示パネル１０００の発光画面全体、すなわち少なくとも１表示画面以上にわたって高圧アノード電流を平均して平均高圧アノード電流を検出するものであり、さらに１表示画面以上にわたって高圧アノード電流を平均するには１表示画面相当の積分時間で積分して平均する必要があるし、上記引用刊行物の上記（Ａ−５）には発光輝度を制御する輝度評価値として輝度信号ｓ２０は１フィールド毎のゲート信号ｓ５（図２参照）により積分し、平均値を求めて平均輝度信号ｓ１１として出力していることが記載されているから、発光輝度を制御する輝度評価値としての平均高圧アノード電流を検出する手段も輝度信号ｓ２０と同様に検出した高圧アノード電流を積分し平均値を求めるものと解され、引用発明も「検出部からの検出結果としての出力信号を１表示画面相当の積分時間で積分する積分回路」を有するものである
　そして、上記のごとく引用発明も「検出部からの検出結果としての出力信号を１表示画面相当の積分時間で積分する積分回路」を有するものであり、この積分回路としての平均高圧アノード電流を検出する手段により検出した検出信号が基準値より大きい場合は高圧発生部１７より発生される電圧値を下げて、前記表示パネル１０００の発光画面全体の平均輝度がある値以上にならないように発光輝度を制御し、表示パネル１０００における消費電力の増大を抑えるように前記平均高圧アノード電流を検出する手段の検出信号に応じて制御しているから、引用発明も本願補正発明と同様「積分回路による積分結果（の平均値）が所定値以上の場合には加速電圧を低くして前記表示パネルに形成される画像の発光輝度と前記表示パネルにおける消費電力を低減するように前記加速電圧を前記積分結果に応じて制御する制御手段」を有することになる。
　さらに、引用発明の「高圧発生部１７に設けた平均高圧アノード電流を検出する手段」も本願補正発明の「前記行配線駆動手段と前記列配線駆動手段により前記電子放出素子が駆動されて当該電子放出素子を流れる電流を検出すべく、少なくとも前記電源から前記行配線駆動手段に出力される出力電流を検出する検出部」もともに「表示パネルの発光輝度に関係する出力電流を検出する検出部」で共通するものである。
　そうすると、本願補正発明と引用発明とは、 
　「複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、
　前記行方向配線の少なくとも１つを選択して駆動する行配線駆動手段と、
　画像信号に応じて前記列方向配線を駆動する列配線駆動手段とを具備し、
　前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段に前記電子放出素子を駆動するための選択電圧を供給し、前記列配線駆動手段に前記電子放出素子を駆動するための駆動電圧を供給するための、前記行配線駆動手段及び列配線駆動手段用の電源と、
　表示パネルの発光輝度に関係する出力電流を検出する検出部と、
　前記検出部からの検出結果としての出力信号を１表示画面相当の積分時間で積分する積分回路と、
　前記積分回路による積分結果が所定値以上の場合には前記加速電圧を低くして、前記表示パネルに形成される画像の発光輝度と前記表示パネルにおける消費電力を低減するように前記加速電圧を前記積分結果に応じて制御する制御手段と、
を有することを特徴とする画像形成装置。」である点で一致し、次の相違点（あ）で相違している。
　 　　
・相違点（あ） 
　表示パネルの発光輝度に関係する出力電流を検出する検出部が本願補正発明では「行配線駆動手段と列配線駆動手段により電子放出素子が駆動されて当該電子放出素子を流れる電流を検出すべく、少なくとも電源から行配線駆動手段に出力される出力電流を検出する検出部」であるのに対して、引用発明は「高圧発生部１７に設けた平均高圧アノード電流を検出する手段」である点。
 　　　　　　
　（イ−２）当審の判断
　そこで、上記相違点（あ）について判断する。
　上記引用刊行物の（Ａ−３）〜（Ａ−５）及び（Ａ−１０）を参照すると、表示パネルの発光輝度に関係する出力電流として引用発明の「高圧発生部１７に設けた平均高圧アノード電流」は電子放出素子の放出電流１ｅに対応し、本願補正発明の「行配線駆動手段と列配線駆動手段により電子放出素子が駆動されて当該電子放出素子を流れる電流」は電子放出素子の素子電流Ｉｆに対応する。
　一方、原審の拒絶理由通知書で引用した特開平９−１３４１４６号公報の「【００３０】図5は各素子に所定電流を供給する場合に、オンする素子数に対して素子電流Ifが減少していく様子を示す図で、この結果、表示する画像パターンにより素子電流Ifが不必要に変化し、放出電流Ieも変化するので、蛍光体の発光輝度も不必要に変化してしまい、表示画像の色や輝度などの再現性が劣化、つまり画質が劣化するという問題がある。」、「【００５７】一方、走査中の素子からは、画像データに応じて適宜電子ビームを放出するようにする必要があるが、本実施形態においては、図10に示すIf-Ie特性を利用して、素子電流Ifを適宜変調することにより放出電流Ieを制御する。そして、図10に一例を示すように、蛍光体を最大輝度で発光させる際の放出電流をIemax（例えば0.6μA）、そのときの素子電流をIfmax（例えば0.8mA）と設定する。」、「【００６１】図11は電圧/電流変換回路107における入力信号Idiと出力電流Iout(If)，電子放出素子の放出電流Ieの関係例を示す図である。つまり、信号Idiは、前述したように、画像データ（輝度データ）に応じて電圧変調され、例えば最大輝度に対して2[V]、最小輝度に対して0[V]になる。そして、最大輝度に対応する信号Idiに応じて、電子放出素子には例えば0.8[mA]の素子電流Ifが流れ、例えば0.6[μA]の放出電流Ieが得られる。」、「【００６２】このようにして、電子放出素子に画像データに対応した放出電流Ieを放出させることにより、階調画像を表示することが可能になる。さらに、本実施形態においては、1ラインの輝度値の和に応じて、素子電流Ifの値を補正するので、表示パネル101へ素子電流Ifを流すための配線の抵抗に起因する、表示する画像パターンにより素子電流Ifが不必要に変化し、放出電流Ieも変化するので、蛍光体の発光輝度が不必要に変化してしまい、表示画像の色や輝度などの再現性が劣化、つまり画質が劣化するという問題を防いで、品位の高い画質を得ることができる。」の記載を参照すると、上記特開平９−１３４１４６号公報には表示パネルの発光輝度は放出電流Ｉｅに応じて変化するのみだけでなく、電子放出素子を流れる素子電流Ｉｆに応じて変化することが記載されているし、例えば、特開平７−１８１９１１号公報の段落番号【００４６】、【００８３】〜【００８５】、特開平８−２１２９４４号公報の段落番号【００８４】、【００８５】、特開平９−３１９３２７号公報の段落番号【００２８】、【００３１】〜【００３３】、【００６８】にも同様のことが記載されていることから、表示パネルの発光輝度が放出電流Ｉｅに応じて変化するのみだけでなく、電子放出素子を流れる素子電流Ｉｆに応じて変化することは周知である。
　そうだとすれば引用発明の表示パネルの発光輝度と関係のある電子放出素子の放出電流Ｉｅの「高圧発生部１７に設けた平均高圧アノード電流」を検出し、検出した検出信号により加速電圧となる高圧発生部１７より発生される電圧値を下げて、表示パネル１０００の発光画面全体の平均輝度がある値以上にならないように発光輝度を制御する代わりに、電子放出素子の放出電流Iｅと同様に表示パネルの発光輝度と関係のある電子放出素子の素子電流Ｉｆを検出し、検出した検出信号により加速電圧となる高圧発生部１７より発生される電圧値を下げて、表示パネル１０００の発光画面全体の平均輝度がある値以上にならないように発光輝度を制御する程度のことは当業者であれば容易になし得るものである。
　さらに、電子放出素子の素子電流Ｉｆは行配線駆動手段としての垂直駆動ドライバ１２と列配線駆動手段としての水平駆動ドライバ１０により電子放出素子が駆動されたときに電子放出素子を流れる電流であり、さらに引用発明では垂直駆動ドライバ１２や水平駆動ドライバ１０の各行、各列の電子放出素子が駆動されるときに放出される電子放出素子の放出電流Ｉｅを、加速電圧を供給する電源となる高圧発生部１７から加速電極となるメタルバック１００９に出力される出力電流として１表示画面相当分の平均高圧アノード電流として検出していることから、素子電流Ｉｆを検出するには、引用発明の平均高圧アノード電流と同様に電源から行配線駆動手段としての垂直駆動ドライバ１２または列配線駆動手段としての水平駆動ドライバ１０に出力される出力電流を１表示画面相当分検出すればよいことは明らかである。
　また、上記引用刊行物の（Ａ−１０）に記載されているように電子放出素子の放出電流Ｉｅは素子電流Ｉｆに比べて著しく小さいことから、素子電流Ｉｆを検出すれば高圧アノード電流の放出電流Ｉｅのごとく高圧下での微弱電流を検出しなくても良く、高圧下での微弱電流を検出する際の問題を回避できることは自明であり、表示パネルの発光輝度に関係する出力電流として電子放出素子の素子電流Ｉｆを用いる効果も格別のものではない。
 　そして、本願補正発明によってもたらされる効果は、上記引用発明及び周知の技術事項から予測される範囲内のものである。 
 　したがって、本願補正発明は、引用発明及び周知の技術事項に基づき当業者が容易に発明をすることができたものであるから、特許法第２９条第２項の規定により特許出願の際独立して特許を受けることができないものである。 
 
　ウ　補正却下の決定についてのむすび 
　以上のとおりであるから、上記手続補正は、特許法第１７条の２第５項において準用する、平成１５年法律第４７号による改正前の特許法第１２６条第４項の規定に違反するものであり、同法第１５９条第１項において読み替えて準用する同法第５３条の規定により却下しなければならないものである。 
　　　　
３．本件出願に係る発明 
　平成１５年４月２５日付け手続補正は上記のとおり却下したので、本件出願の請求項１〜１０に係る発明は、平成１５年１月２０日付け手続補正書により補正された明細書及び図面の記載からみて、その特許請求の範囲の請求項１〜１０に記載されたとおりのものであって、その請求項２に係る発明（以下、「本願発明」という。）は、次のとおりのものと認める。
  【請求項２】「複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　前記行配線駆動手段と前記列配線駆動手段により駆動されて所定期間に前記電子放出素子を流れる電流を積分する積分回路と、
　前記積分回路による積分結果が所定値以上の場合には前記加速電圧を低くして、前記表示パネルに形成される画像の発光輝度と前記表示パネルにおける消費電力を低減するように前記加速電圧を前記積分結果に応じて制御する制御手段と、
を有することを特徴とする画像形成装置。」
　　　　　
４．引用刊行物に記載された発明 
　原査定の拒絶の理由に引用された引用刊行物の記載事項は上記のとおりである。 
　　　　　　　　　
５．対比・判断 
　ア　本願発明と引用発明とを対比する。 
　引用発明の「Ｍ本の行方向配線１００３とＮ本の列方向配線１００４」、「複数の表面伝導型放出素子からなる冷陰極素子１００２」、「メタルバック１００９」、「シフトレジスタ１１からの行選択信号により順次走査選択し、バイアス電圧Ｖsを印加する垂直駆動ドライバ１２」、「画像データ」、「水平駆動ドライバ１０」、「画像表示装置」、「基準値」、「高圧発生部１７より発生される電圧値」がそれぞれ本願発明の「複数の行方向配線及び列方向配線」、「複数の表面伝導型の電子放出素子」、「加速電圧が印加される電極」、「行配線駆動手段」、「画像信号」、「列配線駆動手段」、「画像形成装置」、「所定値」、「加速電圧」に相当する。 
　また、上記引用刊行物の上記（Ａ−３）の段落番号【００２８】には「また本発明の目的は、発光画面全体の平均輝度がある値以上にならないように抑制することで、消費電力の増大や蛍光板の発熱を抑えた画像表示装置及び該装置における画像表示方法を提供することにある。」と記載されていることから、引用発明の「高圧発生部１７に設けた平均高圧アノード電流を検出する手段」は表示パネル１０００の発光画面全体、すなわち少なくとも１表示画面以上にわたって高圧アノード電流を平均するものであり、さらに１表示画面以上にわたって高圧アノード電流を平均するには１表示画面相当以上の積分時間で積分して平均する必要があるし、上記引用刊行物の上記（Ａ−５）には発光輝度を制御する輝度評価値として輝度信号ｓ２０は１フィールド毎のゲート信号ｓ５（図２参照）により積分し、平均値を求めて平均輝度信号ｓ１１として出力していることが記載されているから、発光輝度を制御する輝度評価値としての「平均高圧アノード電流を検出する手段」も輝度信号ｓ２０と同様に検出した高圧アノード電流を積分し平均値を求めるものと解され、引用発明も「所定期間に電流を積分する積分回路」を有するものである
　そして、引用発明ではこの積分回路としての平均高圧アノード電流を検出する手段により検出した検出信号が基準値より大きい場合は高圧発生部１７より発生される電圧値を下げて、前記表示パネル１０００の発光画面全体の平均輝度がある値以上にならないように発光輝度を制御し、表示パネル１０００における消費電力の増大を抑えるように前記平均高圧アノード電流を検出する手段の検出信号に応じて制御しているから、引用発明も本願発明と同様「積分回路による積分結果が所定値以上の場合には加速電圧を低くして前記表示パネルに形成される画像の発光輝度と前記表示パネルにおける消費電力を低減するように前記加速電圧を前記積分結果に応じて制御する制御手段」を有することになる。
　さらに、引用発明の「高圧発生部１７に設けた平均高圧アノード電流を検出する手段」も本願発明の「行配線駆動手段と列配線駆動手段により駆動されて所定期間に電子放出素子を流れる電流を積分する積分回路」もともに「表示パネルの発光輝度に関係する出力電流を積分する積分回路」で共通するものである。
　そうすると、本願発明と引用発明とは、 
　「複数の行方向配線及び列方向配線によりマトリクス状に配線された複数の表面伝導型の電子放出素子を有する基板と前記電子放出素子から放出された電子を加速するための加速電圧が印加される電極と前記電子により発光する蛍光体とを有するフェースプレートとを備えた表示パネルと、前記行方向配線の少なくとも１つを選択して駆動する行配線駆動手段と、画像信号に応じて前記列方向配線を駆動する列配線駆動手段とを具備し、前記行配線駆動手段及び列配線駆動手段により駆動された前記電子放出素子から放出された電子を前記蛍光体に到達させて発光させることにより、前記表示パネルに画像を形成する画像形成装置において、
　表示パネルの発光輝度に関係する出力電流を積分する積分回路と、
　前記積分回路による積分結果が所定値以上の場合には前記加速電圧を低くして、前記表示パネルに形成される画像の発光輝度と前記表示パネルにおける消費電力を低減するように前記加速電圧を前記積分結果に応じて制御する制御手段と、
を有することを特徴とする画像形成装置。」である点で一致し、次の相違点（い）で相違している。 
　　　　　　　
 ・相違点（い） 
 　表示パネルの発光輝度に関係する出力電流を積分する積分回路で積分する出力電流が本願発明では「行配線駆動手段と列配線駆動手段により駆動されて所定期間に電子放出素子を流れる電流」であるのに対して引用発明では「高圧発生部１７に設けた平均高圧アノード電流」である点。
 　
　イ　当審の判断 
　そこで、上記相違点（い）について判断する。 
　上記引用刊行物の（Ａ−５）及び（Ａ−１０）を参照すると、表示パネルの発光輝度に関係する出力電流として引用発明の「高圧発生部１７に設けた平均高圧アノード電流」は電子放出素子の放出電流１ｅに対応し、本願発明の「行配線駆動手段と列配線駆動手段により駆動されて所定期間に電子放出素子を流れる電流」は電子放出素子の素子電流Ｉｆに対応する。
　一方、原審の拒絶理由通知書で引用した特開平９−１３４１４６号公報の「【００３０】図5は各素子に所定電流を供給する場合に、オンする素子数に対して素子電流Ifが減少していく様子を示す図で、この結果、表示する画像パターンにより素子電流Ifが不必要に変化し、放出電流Ieも変化するので、蛍光体の発光輝度も不必要に変化してしまい、表示画像の色や輝度などの再現性が劣化、つまり画質が劣化するという問題がある。」、「【００５７】一方、走査中の素子からは、画像データに応じて適宜電子ビームを放出するようにする必要があるが、本実施形態においては、図10に示すIf-Ie特性を利用して、素子電流Ifを適宜変調することにより放出電流Ieを制御する。そして、図10に一例を示すように、蛍光体を最大輝度で発光させる際の放出電流をIemax（例えば0.6μA）、そのときの素子電流をIfmax（例えば0.8mA）と設定する。」、「【００６１】図11は電圧/電流変換回路107における入力信号Idiと出力電流Iout(If)，電子放出素子の放出電流Ieの関係例を示す図である。つまり、信号Idiは、前述したように、画像データ（輝度データ）に応じて電圧変調され、例えば最大輝度に対して2[V]、最小輝度に対して0[V]になる。そして、最大輝度に対応する信号Idiに応じて、電子放出素子には例えば0.8[mA]の素子電流Ifが流れ、例えば0.6[μA]の放出電流Ieが得られる。」、「【００６２】このようにして、電子放出素子に画像データに対応した放出電流Ieを放出させることにより、階調画像を表示することが可能になる。さらに、本実施形態においては、1ラインの輝度値の和に応じて、素子電流Ifの値を補正するので、表示パネル101へ素子電流Ifを流すための配線の抵抗に起因する、表示する画像パターンにより素子電流Ifが不必要に変化し、放出電流Ieも変化するので、蛍光体の発光輝度が不必要に変化してしまい、表示画像の色や輝度などの再現性が劣化、つまり画質が劣化するという問題を防いで、品位の高い画質を得ることができる。」の記載を参照すると、上記特開平９−１３４１４６号公報には表示パネルの発光輝度は放出電流Ｉｅに応じて変化するのみだけでなく、電子放出素子を流れる素子電流Ｉｆに応じて変化することが記載されているし、例えば、特開平７−１８１９１１号公報の段落番号【００４６】、【００８３】〜【００８５】、特開平８−２１２９４４号公報の段落番号【００８４】、【００８５】、特開平９−３１９３２７号公報の段落番号【００２８】、【００３１】〜【００３３】、【００６８】にも同様のことが記載されていることから、表示パネルの発光輝度が放出電流Ｉｅに応じて変化するのみだけでなく、電子放出素子を流れる素子電流Ｉｆに応じて変化することは周知である。
　そうだとすれば引用発明の表示パネルの発光輝度と関係のある電子放出素子の放出電流Ｉｅの「高圧発生部１７に設けた平均高圧アノード電流」を検出し、検出した検出信号により加速電圧となる高圧発生部１７より発生される電圧値を下げて、表示パネル１０００の発光画面全体の平均輝度がある値以上にならないように発光輝度を制御する代わりに、電子放出素子の放出電流Ｉｅと同様に表示パネルの発光輝度と関係のある電子放出素子の素子電流Ｉｆを検出し、検出した検出信号により加速電圧となる高圧発生部１７より発生される電圧値を下げて、表示パネル１０００の発光画面全体の平均輝度がある値以上にならないように発光輝度を制御する程度のことは当業者であれば容易になし得るものである。
　また、電子放出素子の素子電流Ｉｆは行配線駆動手段としての垂直駆動ドライバ１２と列配線駆動手段としての水平駆動ドライバ１０により電子放出素子が駆動されたときに電子放出素子を流れる電流であることは明らかであり、さらに引用発明では垂直駆動ドライバ１２や水平駆動ドライバ１０の各行、各列の電子放出素子が駆動されるときに放出される電子放出素子の放出電流Ｉｅを、加速電圧を供給する電源となる高圧発生部１７から加速電極となるメタルバック１００９に出力される出力電流として１表示画面相当分の平均高圧アノード電流として検出していることから、素子電流Ｉｆを積分する際には１表示画面相当分の所定期間だけ積分することになる。
　さらに、上記引用刊行物の（Ａ−１０）に記載されているように電子放出素子の放出電流Ｉｅは素子電流Ｉｆに比べて著しく小さいことから、素子電流Ｉｆを検出すれば高圧アノード電流の放出電流Ｉｅのごとく高圧下での微弱電流を検出しなくても良く、高圧下での微弱電流を検出する際の問題を回避できることは自明であり、表示パネルの発光輝度に関係する出力電流として電子放出素子の素子電流Ｉｆを用いる効果も格別のものではない。
　そして、本願発明によってもたらされる効果は、上記引用発明及び周知の技術事項から予測される範囲内のものである。 
 　したがって、本願発明は、引用発明及び周知の技術事項に基づき当業者が容易に発明をすることができたものである。
　　　　　　　　 
６．むすび 
　以上のとおりであるから、本願発明は特許法第２９条第２項の規定により特許を受けることができないものであるので、その余の請求項に係る発明について検討するまでもなく、本願は、拒絶をすべきものである。 
　　　　　　
　よって、結論のとおり審決する。